(57)【特許請求の範囲】
【請求項１】
電子機器のケース表面に凹部を有し、この凹部に透明カバーを嵌合して圧入或いは貼着するとともに、この透明カバーの側壁に接して少なくとも１つ以上の他の部品が配置され、前記ケース表面に前記他の部品を配置する複数の開口部を有し、この少なくとも１つ以上の開口部の一部を前記凹部の内部に配置させて開口し、前記透明カバーは前記凹部内の開口部に合わせて切り欠き部を備え、この透明カバーの切り欠き部内の開口部に前記他の部品を配置することで前記ケース表面の配置スペースを確保する透明カバーの取り付け構造であって、当該他の部品と前記透明カバーとが接する境界部に前記ケースから延在して前記透明カバーを位置決めするリブを設けたことを特徴とする透明カバーの取り付け構造。
【請求項２】
請求項１に記載の透明カバーの取り付け構造において、
前記切り欠き部には、切り欠いた両端部に前記透明カバーを位置決めするリブに対応して更に切り欠いたリブ用切り欠き部を設けたことを特徴とする透明カバーの取り付け構造。
【請求項３】
請求項１に記載の透明カバーの取り付け構造において、
前記他の部品は操作キーであり、前記リブは前記操作キーの動作位置に前記透明カバーが移動して干渉することを防止するための位置決め用に設けたことを特徴とする透明カバーの取り付け構造。
【請求項４】
請求項３に記載の透明カバーの取り付け構造において、
前記他の部品である操作キーは、多方向に傾斜して操作する多方向キー或いは動作指示キーのいずれかであることを特徴とする透明カバーの取り付け構造。
【請求項５】
請求項１または２に記載の透明カバーの取り付け構造において、
前記リブは、前記切り欠き部の境界部両側に一対または複数設けたことを特徴とする透明カバーの取り付け構造。
【発明の詳細な説明】
【０００１】
【発明の属する技術分野】
本発明は、透明カバーの取り付け構造に係り、より詳細には電子機器のケース表面に配置されるＬＣＤなどの表示部に装着する透明カバーの取り付け構造に関する。
【０００２】
【従来の技術】
従来、電子機器には、ケースの操作面にＬＣＤ表示部及び種々の操作キーを配置して使用者が機器の操作を容易に実行できるように設けてある。ここで、ＬＣＤ表示部には、ケースの開口部から露出するＬＣＤの表面に薄板状の透明カバーを装着して保護している。この透明カバーは、操作キーとともに、ケースの操作面に効率よく配置することでケースの小型化を可能にする。特に、ＰＨＳ電話機、携帯電話機などの移動体通信端末においては、携帯して使用する目的によりケースの小型化が要求され、これにより配置スペースが減少するため、より一層効率よく配置することが要求される。従来の透明カバーの取り付け構造は、通常、電子機器のケースの操作面に凹部を設け、この凹部に透明カバーを圧入又は貼着して装着する構造を備えている。図２は、ＰＨＳ電話機に採用した従来の透明カバーの取り付け構造を示す斜視図である。
【０００３】
図２に示すように、ＰＨＳ電話機に採用した従来の透明カバーの取り付け構造は、ＰＨＳ電話機のフロントケース４０の操作面に凹部４２を設け、この凹部４２に透明カバー３０を嵌合して圧入又は貼着している。このフロントケース４０には、透明カバー３０を装着する凹部４２の底面に矩形状に開口する開口部４４を形成して図示されていないＬＣＤ（表示部）を露出させている。また、フロントケース４０には、凹部４２の近傍に複数配列して開口する操作キー開口部４６を形成して操作キー５０を操作面に突出できるように設けてある。
【０００４】
ここで、操作キー５０には、４方向に傾斜して種々の機能を一つのキーで操作できるように形成した４方向キー５２を一体に備えている。このように、従来の透明カバーの取り付け構造は、フロントケース４０の操作面に効率よく透明カバー３０と操作キー５０とを配置するため、機能の付加に伴い増加する複数の操作キー５０を４方向キー５２などの特殊キーを利用して一つのキーに集めることにより透明カバー３０の配置スペースを確保していた。
【０００５】
しかしながら、ＰＨＳ（パーソナルハンディフォンシステム）電話機、携帯電話機などの移動体通信端末では、新たに付加される種々の機能に伴って操作キーの数が増加し、一方では小型化が要求されるため、ケースの操作面に配置する透明カバーと操作キーとの配置スペースが著しく減少してしまう。これにより、４方向キーを設けても透明カバーの十分な配置スペースを確保することができなくなる。近年、このような配置スペースの減少に伴い、ＬＣＤ表示部の近傍に操作キーを配置するようになっている。特に、４方向キーは、ケースに配置されたＬＣＤ表示部の中央近傍に配置する方が操作性がよくなる。そこで、本出願人は、更なる携帯端末の小型化を目的とした構造として図３に示す構造を考えた。図３は、透明カバーの端部中央に操作キーの一部を配置した透明カバーの取り付け構造を示す斜視図である。
【０００６】
図３に示すように、透明カバーの端部中央に操作キーの一部を配置した透明カバーの取り付け構造は、図２に示した透明カバーの取り付け構造と同様に、ＰＨＳ電話機或いは携帯電話機のフロントケース７０の操作面に凹部７２を設け、この凹部７２に透明カバー６０を嵌合して圧入或いは貼着している。このフロントケース７０には、透明カバー６０を装着する凹部７２の底面に矩形状に開口する開口部７４を形成して図示されていないＬＣＤ（表示部）を露出させている。
【０００７】
また、図３に示した透明カバーの取り付け構造は、図２に示した透明カバーの取り付け構造とは異なり、フロントケース７０に開口する操作キー開口部７６の一部を凹部７２の端部中央に配置して設けてある。ここでは、図３に示したように、４方向キー８２の操作キー開口部７６を透明カバー６０の端部中央に配置している。
【０００８】
また、透明カバー６０は、凹部７２の内部に開口した操作キー開口部７６に合わせて一部を略円形で凹状に切り欠いた切り欠き部７２を形成している。この際、切り欠き部７２と４方向キー８２の操作キー開口部７６とは、ＬＣＤを露出させる開口部７４から所定の間隔をあけて配置されている。これは、フロントケース７０の内部でＬＣＤ（表示部）と操作キー８０とが同一の回路基板上（図示せず）に載置されており、操作キー８０がＬＣＤ（表示部）と当接することなく円滑に動作を行えるように配置しているためである。従って、操作キー開口部７６は、フロントケース７０の内部で操作キー８０がＬＣＤと当接しない位置まで近接させて凹部７２の内部に配置することができる。
【０００９】
このように従来の透明カバーの取り付け構造は、操作キーの一部（４方向キー）を透明カバー内に配置して操作キーの配置スペースを確保するとともに、この４方向キーをＬＣＤ表示部近傍の中心部に配置することで操作性を向上すると同時に小型化を可能にしていた。
【００１０】
【発明が解決しようとする課題】
しかしながら、図３に示した透明カバーの取り付け構造では、フロントケース７０の凹部７２内に、４方向キー８２を突出させる操作キー開口部７６を設けることにより、透明カバー６０の外周全体を凹部７２の内周で位置決めできないため、透明カバー６０を凹部７２に貼着（両面テープ等）或いは圧入する際、ずれてしまい操作キー開口部７６に挿入する４方向キー８２の動作に干渉して悪影響を与えてしまうという不具合があった。
また、透明カバー６０を凹部７２に貼着或いは圧入する際に発生するずれを防止するために、透明カバー６０を装着する際に位置決め治具及び明確な作業指示により位置精度を保持することが必要であり、これにより生産工程の効率を低下させてしまうという不具合があった。
本発明はこのような課題を解決し、操作キーの動作に干渉を与えることなく、容易に電子機器のケースに装着できる透明カバーの取り付け構造を提供することを目的とする。
【００１１】
【課題を解決するための手段】
本発明は上述の課題を解決するために、電子機器のケース表面に凹部を有し、この凹部に透明カバーを嵌合して圧入或いは貼着するとともに、この透明カバーの側壁に接して少なくとも１つ以上の他の部品が配置され、ケース表面に他の部品を配置する複数の開口部を有し、この少なくとも１つ以上の開口部の一部を凹部の内部に配置させて開口し、透明カバーは凹部内の開口部に合わせて切り欠き部を備え、この透明カバーの切り欠き部内の開口部に他の部品を配置することでケース表面の配置スペースを確保する透明カバーの取り付け構造であって、当該他の部品と透明カバーとが接する境界部にケースから延在して透明カバーを位置決めするリブを設ける。
ここで、切り欠き部には、切り欠いた両端部に透明カバーを位置決めするリブに対応して更に切り欠いたリブ用切り欠き部を設けることが好ましい。また、他の部品は操作キーであり、リブは操作キーの動作位置に透明カバーが移動して干渉することを防止するための位置決め用に設けることが好ましい。また、他の部品である操作キーは、多方向に傾斜して操作する多方向キー或いは動作指示キーのいずれかであることが好ましい。また、リブは、切り欠き部の境界部両側に一対または複数設けることが好ましい。
【００１２】
【発明の実施の形態】
次に、添付図面を参照して本発明による透明カバーの取り付け構造の実施の形態を詳細に説明する。図１は、ＰＨＳ電話機に採用した本発明による透明カバーの取り付け構造を示す斜視図である。
図１に示すように、ＰＨＳ電話機に採用した本発明による透明カバーの取り付け構造は、図３に示した透明カバーの取り付け構造と同様に、ＰＨＳ電話機のフロントケース１０の操作面に凹部１２を設け、この凹部１２に透明カバー１を嵌合している。このフロントケース１０には、透明カバー１を装着する凹部１２の底面に矩形状に開口する開口部１４を形成して図示されていないＬＣＤ（表示部）を露出させて液晶表示部を形成している。
【００１３】
また、凹部１２には、フロントケース１０に開口する操作キー開口部１６を複数配列させて設けてあり、この操作キー開口部１６の一部を内部に配置させて開口するように設けてある。ここでは、図１に示したように、４方向キー２２の操作キー開口部１６を透明カバー１端部の中央に位置するように配置している。
【００１４】
また、透明カバー１は、凹部１２の内部に開口して設けた操作キー開口部１６に合わせて一部を略円形で凹状に切り欠いた切り欠き部２を形成している。この際、切り欠き部２と４方向キー２２の操作キー開口部１６とは、ＬＣＤ（表示部）を露出させる開口部１４から所定の間隔をあけて配置している。これは、フロントケース１０の内部でＬＣＤ（表示部）と操作キー２０とが同一の回路基板上（図示せず）に載置されており、操作キー２０がＬＣＤ（表示部）と当接することなく動作を円滑に行えるように配置しているためである。従って、凹部１２に配置される操作キー開口部１６は、フロントケース１０の内部で操作キー２０がＬＣＤと当接しない位置まで近接させて配置することができる。
【００１５】
ここで、本発明による透明カバーの取り付け構造は、図３に示した透明カバーの取り付け構造とは異なり、フロントケース１０の凹部１２と、４方向キー２２の操作キー開口部１６とが接する境界部の両側２箇所にフロントケース１０から操作キー開口部１６の内周に沿って延在する一対のリブ１８を形成している。また、透明カバー１には、フロントケース１０に設けたリブ１８に対応して切り欠き部２の両端近傍に、更に切り欠いたリブ用切り欠き部４を２箇所形成している。
【００１６】
従って、透明カバー１は、図１の矢印に示したようにフロントケース１０の凹部１２に装着する際、リブ１８を設けることにより凹部１２内で完全に位置決めされる。これにより透明カバー１は、凹部１２に装着する際に発生するずれを防止でき、４方向キー２２の動作に対して干渉することがなくなる。
このように、本発明による透明カバーの取り付け構造は、リブ１８をフロントケース１０に設けることで、凹部１２内での透明カバー１のがたつきを抑え、透明カバー１を凹部１２内に完全に位置決めするとともに、透明カバーの取り付け作業を容易にすることができる。
【００１７】
以上、本発明による透明カバーの取り付け構造の実施の形態を詳細に説明したが、本発明は前述の実施の形態に限定されるものではなく、その要旨を逸脱しない範囲で変更可能である。
例えば、フロントケース１０の凹部１２と開口部１４とが接する境界部２箇所にリブ１８を設けた実施の形態を説明したが、これに限定されるものではなく、凹部１２と開口部１４との境界部が長く延在する場合に複数設けて位置決めしてもよい。
また、凹部１２内に４方向キー２２のみを配置した実施の形態を詳細に説明したが、これに限定されるものではなく、例えば、複数の操作キーを配置して複数のリブを設けることも可能である。
さらに、本発明による透明カバーの取り付け構造をＰＨＳ電話機に採用した実施の形態を説明したが、これに限定されるものではなく、例えば、携帯電話機、有線電話機、トランシーバなどの移動体通信端末にも適用できる。
【００１８】
【発明の効果】
このように、本発明の透明カバーの取り付け構造によれば、透明カバーと、この透明カバーに接して配置される他の部品との境界部にケースから延在するリブを設けているため、透明カバーがずれることにより操作キーの動作に干渉して悪影響を与えることを防止することができる。
また、リブを設けることにより透明カバーを装着する際に発生するずれを防止するため、透明カバーの装着時に位置決め治具及び明確な作業指示が不用となり容易に位置精度を保持することが可能になり生産工程の効率を向上することが可能になる。
【図面の簡単な説明】
【図１】ＰＨＳ電話機に採用した本発明による透明カバーの取り付け構造を示す斜視図。
【図２】従来の透明カバーの取り付け構造を示す斜視図。
【図３】透明カバーの端部中央に操作キーの一部を配置した透明カバーの取り付け構造を示す斜視図。
【符号の説明】
１  透明カバー
２  切り欠き部
４  リブ用切り欠き部
１０  フロントケース
１２  凹部
１４  開口部
１６  操作キー開口部
１８  リブ
２０  操作キー
２２  ４方向キー
【図１】
0003769398.tif 000002
【図２】
0003769398.tif 000003
【図３】
0003769398.tif 000004